(57)【要約】【課題】高価な電気部品を使用すること無く洗浄水の切替え装置を備えた食器洗い機を提供することにある。【解決手段】洗浄用ポンプで循環される洗浄水の水圧を利用することにより切替え動作に電気部品を使用すること無く、水流のＯＮ，ＯＦＦすなわち洗浄用ポンプのＯＮ，ＯＦＦにより切替える構成とした。【効果】本発明によれば水流切替え装置の切替え動作部を洗浄水の水圧により機械的に動作する構成としたことにより高価な電気部品を使用することなく達成することができた。【選択図】  図２
2005052215.tif 000002
【特許請求の範囲】
【請求項１】
水を送る給水手段とその給水を加熱する加熱手段と食器を収納し洗浄を行う洗浄槽と洗浄槽内の水を機外に排出する排出手段と食器を乾燥する乾燥手段を備えた食器洗い機において洗浄槽の底部の一部を共用してノズルに送る水流切替え装置を構成すると共に水流切替え装置は２個以上の切替えパターンを有し切替え位置を検知できる手段を有していることを特徴とする食器洗い機。
【請求項２】
水流切替え用切替え弁はランナーと一体成形され外周に回転防止用の溝を有する水流切替え装置を備えたことを特徴とする前記請求項１記載の食器洗い機。
【請求項３】
水流切替え弁の下側軸受部と下軸は噛合い構造とし回転方向に進むように設定された水流切替え装置を備えたことを特徴とする前記請求項１記載の食器洗い機。
【請求項４】
水流切替え弁の下側軸受部はラビリンス構造とした水流切替え装置を備えたことを特徴とする前記請求項１記載の食器洗い機。
【請求項５】
水流切替え弁の上面部はゴム等の弾性体で構成した水流切替え装置を備えたことを特徴とする前記請求項１記載の食器洗い機。
【請求項６】
水を送る給水手段とその給水を加熱する加熱手段と食器を収納し洗浄を行う洗浄槽と洗浄槽内の水を機外に排出する排出手段と食器を乾燥する乾燥手段を備えた食器洗い機において洗浄槽の底部の一部を共用してノズルに送る水流切替え装置を構成すると共に水流切替え装置は上ノズル、下ノズル及び上下同時の３パターンを有し、上ノズル及び下ノズルは洗浄で主として使用した水流切替え装置を備えたことを特徴とする食器洗い機。
【発明の詳細な説明】
【０００１】
【発明の属する技術分野】
本発明は食器洗い機の水流切替え装置に関する。
【０００２】
【従来の技術】
従来、洗浄水の水流の切替えを行うにはプランジャ式の電磁石をＯＮ，ＯＦＦして開閉する方式があるが切替えパターン毎に電磁石が必要であり、またそれを制御する電子部品も必要であった。他の方法としてはモータを使用して切替え弁を動作させる方法があるが駆動用モータに加えて位置検出装置も必要となり、いずれも高価な電気部品を使用するのでコスト高の要因となった。
【０００３】
【特許文献】
なし
【０００４】
【発明が解決しようとする課題】
本発明は上記した従来技術の欠点を補う食器洗い機を提供することにある。
【０００５】
【課題を解決するための手段】
洗浄用ポンプで循環される洗浄水の水圧を利用することにより切替え動作に電気部品を使用すること無く、水流のＯＮ，ＯＦＦすなわち洗浄用ポンプのＯＮ，ＯＦＦにより切替える構成とした。
【０００６】
【発明の実施の形態】
図１に本発明の食器洗い機の縦断面図を示す。洗浄槽１の底部には洗浄用ポンプ２が配置されており水流切替え装置３の流入口４に接続されている。水流切替え装置３の上面は洗浄槽１の底部と一体成形されている。吐出口は上ノズル側吐出口５下ノズル側吐出口６とに分離されている。上ノズル側吐出口５は洗浄槽内の配管を通して上ノズル７と繋がっている。また、同様に下ノズル側吐出口６も洗浄槽内の配管を通して下ノズル８に繋がっている。各々の配管部は本実施例では洗浄槽の底部上に配置された別部品で構成されているが洗浄槽の底部に一個の別部材で溶着またはシールして構成することにより洗浄槽内の容積を有効に使用することもできる。洗浄槽内には上カゴ９及び下カゴ１０が配置されその中に食器１１が並べ位置されている。
【０００７】
図２は水流切替え装置３の縦断面図を示す。上部ケーシング１２は洗浄槽底部と一体成形されている。上部ケーシング１２は上ノズル側吐出口５、下ノズル側吐出口６及び上部軸受部１３を構成しており水流切替え弁１４の上軸１５を支持している。下部軸受部１６は下軸１７を支持している。また、下軸受部１６は底部が歯車状となっており下軸１７と噛合わさる構造となっており本実施例では４個所位置が決まるようになっている。水流切替え弁１４の下軸１７は残菜による異物の侵入防止を図るため円筒状突起１８と下軸受部１６のラビリンス構造としている。下ケーシング１９は流入口４と位置検出装置２０の収納部を一体に成形している。上部ケーシング１２と下ケーシング１９はＯリング２１により水密されネジ２２により固定している。本実施例でシールはＯリングにより行っているがシール方法については熱線による溶着及び振動による溶着も考えられる。水流切替え弁１４の外周には永久磁石２３が固定されている。永久磁石２３は上下方向に着磁され、固定は水流切替え弁１４を成形するときに取付け部を確保し永久磁石２３を挿入した後周囲を溶着固定されている。ストッパー２４は水流切替え弁１４の位置決め用として使用され、洗浄水の水圧がかかっていない状態ではバネ２５により左方に位置し、水流切替え弁１４の位置決めを解除する方向に働く。ストッパー２４は洗浄水による水圧により容易に右方に移動し易いように開口部３１が設けられ、この開口部３１から空間部３２に侵入することによりストッパー２４はバネ２５の力に打ち勝って右方に移動する。
【０００８】
図３は水流切替え弁１４の下から見た図を示している。外周には４個所のストッパー２４挿入固定用の溝３３が付いており、回転方向に対して挿入固定される様になっておりストッパー２４が挿入し易いようにテ―パ状となっている。下軸１７の外周は洗浄水による回転力を出すためランナー２６を形成している。洗浄水は円筒状突起１８の外周部からランナー２６に流入し水流切替え弁１４に回転力を与える。切替え弁吐出口２７及び切替え弁吐出口２８は各々９０度隣り合わせで開口されている。
【０００９】
図４は下軸受部１６と下軸１７の噛合い部の位置関係を示す。点線で示された部分の噛合い部は水流切替え弁１４がストッパー２４により挿入固定されている位置を示す。ポンプを停止すると水流切替え弁１４はそのまま真下の位置すなわち点線の位置に落下する。このとき、下軸受部１６の噛合い部は実線で示された様にαだけ位置がずれる様に設定されているので本来は点線の位置に落下するものが実線の位置になる。
【００１０】
図５は上部ケーシング１２の吐出口の配置を示す。上吐出口２９は上ノズル側に洗浄水を通し、下吐出口３０は下ノズル側に洗浄水を通す。位置検出装置２０は右４５度の位置に設置されている。
【００１１】
図６から図９までは水流切替え弁１４の位置と吐出の関係を示す。図６の位置の場合は切替え弁吐出口２７と切替え弁吐出口２８が上吐出口２９と一致しているので上ノズルのみに洗浄水を通し、図７の位置の場合は切替え弁吐出口２７が下ノズル、切替え弁吐出口２８が上ノズル側と一致するので上ノズルと下ノズルの両方に洗浄水を通し、図８の位置の場合は切替え弁吐出口２７と切替え弁吐出口２８が下吐出口３０と一致しているので下ノズルのみに洗浄水を通し、図９の位置の場合は切替え弁吐出口２７が上ノズル、切替え弁吐出口２８が下ノズル側と一致するので上ノズルと下ノズルの両方に洗浄水を通し上ノズルと下ノズルの両方吐出する。
【００１２】
ここで、水流切替え装置３の動作について詳細に説明する。図２において洗浄用ポンプ２で加圧された洗浄水は流入口４を通って入ってくる。この時、ストッパー２４はバネ２５によりストッパを解除する方向すなわち左方に位置している。また、水流切替え弁１４は自重により下側に位置し、溝３３の位置すなわちストッパ２４の位置に対して下軸受部１６の噛合い部位置はαだけ回転方向に進めて噛合うように構成されている。これにより、ストッパー１４の位置で真下に自重で落下しても必ずαだけ回転方向に移動するので万一水圧が強くて水流切替え弁１４が回転する時間がなくても同じストッパーの位置になることがないので確実に次の溝まで移動することができる。流入口４を通った洗浄水はストッパー２４の開口部３１から侵入しバネ２５の力に打ち勝ちストッパー２４を右方に移動させ水流切替え弁１４の外周に当たる。この状態で更に、洗浄水は右方に移動し下軸受部１６の外周部に設けられた下軸受穴部３２を通り水流切替え弁１４を押し上げると同時にランナー２６に当たり吐出口側に流れ、水流切替え弁１４に回転力を与える。この時、水流が強い場合は水流切替え弁１４が上部ケーシング１２に衝突することによる騒音が問題となる。これに対応するため弾性体を有するゴム等を上部ケーシング１２の接触面側に貼り付けるか水流切替え弁１４の接触面側に貼り付けることにより防止できる。水流切替え弁１４が回転しながら既に外周側に当たっているストッパー２４が水流切替え弁１４の外周の溝２５に挿入固定されそのまま水圧で水流切替え弁１４は上部ケーシング１２に押し付けられその状態を維持する。水流をＯＮ，ＯＦＦすることにより図６→図７→図８→図９→図６まで一連の動作を順番に繰返す。この時、位置検出装置２０を図６の永久磁石の位置で行うことにより上ノズルに洗浄水が供給されるときの位置がわかる。他のノズルの位置については回転方向が一定で必ず１ステップずつ移行するので図６の位置をマイコンで記憶しておくことにより、常に現在位置を把握することができる。
【００１３】
運転中の停電等で位置が一時的に不明の場合は必ず１周期切替え動作を行い永久磁石２３の位置を把握して原点補正を行うことにより他の位置も確実に把握することができる。また、１周期しても位置検出ができないときは動作不良が考えられるのでエラー表示を行う。本発明の実施例では洗浄時に上ノズルと下ノズルのときの運転を主として上ノズルと下ノズルの両方吐出時は切替え動作のみとすることにより洗浄水を各ノズル毎に供給する運転モードを設定し水量を絞ることにより循環水量を少なくして洗浄槽内の洗浄水量の低減をすることができる。また、すすぎのときは食器の隅々にに一様に水が回る様にする必要がありあまり機械的な力を必要としないので上ノズル及び下ノズル単独に加え上ノズルと下ノズルを同時に使用したパターンを使用することにより、より効果的にすすぎを行うことができる。
【００１４】
【発明の効果】
本発明によれば水流切替え装置の切替え動作部を洗浄水の水圧により機械的に動作する構成としたことにより高価な電気部品を使用することなく達成することができた。
【図面の簡単な説明】
【図１】本発明の食器洗い機の縦断面図を示す。
【図２】本発明の水流切替え装置の縦断面図を示す。
【図３】本発明の水流切替え弁の下から見た図を示す。
【図４】本発明の下軸受部と下軸の噛合い部の図を示す。
【図５】本発明の上部ケーシング部吐出口の部分図を示す。
【図６】本発明の水流切替え弁の位置と吐出の関係を示す。
【図７】本発明の水流切替え弁の位置と吐出の関係を示す。
【図８】本発明の水流切替え弁の位置と吐出の関係を示す。
【図９】本発明の水流切替え弁の位置と吐出の関係を示す。
【符号の説明】
１…洗浄槽、２…洗浄用ポンプ、３…水流切替え装置、４…流入口、５…上ノズル吐出口、６…下ノズル吐出口、７…上ノズル、８…下ノズル、９…上カゴ、１０…下カゴ、１１…食器、１２…上部ケーシング、１３…上部軸受部、１４…水流切替え弁、１５…上軸、１６…下軸受部、１７…下軸、１８…円筒状突起、１９…下ケーシング、２０…位置検出装置、２１…Ｏリング、２２…ネジ・２３…永久磁石、２４…ストッパー、２５…バネ、２６…ランナー、２７、２８…切替え弁吐出口、２９…上吐出口、３０…下吐出口、３１…開口部、３２…下軸受穴部、３３…溝。
【図１】
2005052215.tif 000003
【図２】
2005052215.tif 000004
【図３】
2005052215.tif 000005
【図４】
2005052215.tif 000006
【図５】
2005052215.tif 000007
【図６】
2005052215.tif 000008
【図７】
2005052215.tif 000009
【図８】
2005052215.tif 000010
【図９】
2005052215.tif 000011